(57)【特許請求の範囲】
【請求項１】
一時的に押し、そして離す操作を繰り返し行うことにより、複数の撮影条件からなる第１の選択肢中のいずれかの撮影条件を順次選択切換可能な第１の操作部材と、
前記第１の操作部材を押した状態で繰り返し操作することにより、前記第１の選択肢とは異なる複数の撮影条件からなる第２の選択肢中のいずれかの撮影条件を順次選択切換可能な第２の操作部材と、
前記第１の操作部材が押された状態で前記第２の操作部材が操作されていない場合には、前記第１の操作部材が押された状態から離された状態に変化した後に前記第１の選択肢中の撮影条件を変更する制御手段と、を備えることを特徴とするカメラ。
【請求項２】
請求項１に記載のカメラにおいて、
前記制御手段は、前記第１の操作部材が押された状態で前記第２の操作部材が操作された場合には、前記第１の操作部材が押された状態から離された状態に変化した後においては前記第１の操作部材が選択していた前記第１の選択肢中の前記撮影条件を変更しないことを特徴とするカメラ。
【請求項３】
請求項１に記載のカメラにおいて、
前記制御手段は、前記第１の操作部材が押された状態で前記第２の操作部材が操作された場合には、前記第１の操作部材が押された状態から離された状態に変化すると、前記第２の操作部材の操作によって選択された前記第２の選択肢中の撮影条件を設定することを特徴とするカメラ。
【請求項４】
請求項１に記載のカメラにおいて、
前記複数の撮影条件からなる第２の選択肢の撮影条件は、複数の撮影距離を有するプリセットフォーカスモードであり、
前記複数の撮影距離の各々は、前記第１の操作部材が押された状態での前記第２の操作部材の操作によって選択され、
前記制御手段は、前記第１の操作部材が押された状態で前記第２の操作部材が操作された場合には、前記第１の操作部材が押された状態から離された状態に変化すると、前記第２の操作部材の操作によって選択された撮影距離のプリセットフォーカスモードを設定することを特徴とするカメラ。
【請求項５】
請求項１に記載のカメラにおいて、
前記制御手段は、前記第１の操作部材が押された状態で前記第２の操作部材が操作された場合には、前記第１の操作部材が押された状態から離された状態に変化すると、前記第２の操作部材の操作によって選択された前記第２の選択肢中の撮影条件を設定するが、前記第１の操作部材が選択していた前記第１の選択肢中の撮影条件を変更せず、その後に前記第１の操作部材が押されて再度離されると、前記選択されていた前記第１の選択肢の撮影条件を設定することを特徴とするカメラ。
【請求項６】
請求項１〜５のいずれか１項に記載のカメラにおいて、
前記第２の操作部材は、被操作量に応じて電気信号を出力するダイヤル操作部材であることを特徴とするカメラ。
【発明の詳細な説明】
【０００１】
【発明の属する技術分野】
本発明は、より少ない操作部材の数で種々の撮影条件の設定が可能なカメラに関する。
【０００２】
【従来の技術】
撮影者が特に撮影条件を設定することなく、レリーズスイッチを操作するだけで、撮影条件はすべてカメラ内部で自動的に設定されて撮影動作が実行される、いわゆる全自動カメラと呼ばれるカメラがある。一方、単発撮影か連写か、閃光装置を発光するかしないか、自動焦点調節か手動焦点調節か、自動露光かマニュアル露光か、分割測光か中央部重点測光か、絞り値やシャッタ速度をいくらにするか等、種々の撮影条件を撮影者が選択切換可能なカメラもある。
【０００３】
【発明が解決しようとする課題】
上述のように、種々の撮影条件を撮影者が選択切換可能なカメラでは、選択切換可能な選択肢が増すにつれてカメラが大型化したり操作性が低下するという問題点を有していた。これは、上述した選択肢が増すにつれて操作部材の数を増す必要のあることに起因する。つまり、たくさんの操作部材をカメラに設けるためには設置スペースを必要とし、カメラが大型化する。また、操作部材が多数配設されているため、撮影者は所望の撮影条件の選択切換に際してどの操作部材を操作したらよいのか瞬時に判断できず、これが操作性低下の原因となる。
【０００４】
上記問題点を解決するため、一つの操作部材を繰り返し操作することにより複数の撮影条件のうちの一つを選択することが可能なものもある。この場合、操作部材が操作されることにより設定された撮影条件が何であるかを示す液晶パネル等の表示装置がカメラに設置される。撮影者は、その表示を見ながら操作部材を繰り返し操作し、所望の撮影条件が表示されたときに上述した操作部材の操作を停止することで撮影条件を切換設定することができる。
【０００５】
しかし、カメラの多機能化が進むにつれて一つの操作部材を繰り返し操作することにより切換設定可能な選択肢の数が増す傾向があり、所望の撮影条件を設定するまでの間に何度も操作部材を操作する必要がある。また、表示装置には、その設置スペースに制限があるため、撮影条件はごく簡素な絵文字等によって表示される。このときに設定される頻度の少ない撮影条件が表示されると、撮影者はその絵文字がどのような撮影条件を表しているのかが分からずに混乱したり、誤った撮影条件の設定を気づかぬうちにしてしまうこともあった。
【０００６】
本発明は、撮影者の混乱を招くことなく、より少ない操作部材で多くの撮影条件を設定可能なカメラを提供することを目的とする。
【０００７】
【課題を解決するための手段】
（１）請求項１に記載の発明に係るカメラは、一時的に押し、そして離す操作を繰り返し行うことにより、複数の撮影条件からなる第１の選択肢中のいずれかの撮影条件を順次選択切換可能な第１の操作部材と、第１の操作部材を押した状態で繰り返し操作することにより、第１の選択肢とは異なる複数の撮影条件からなる第２の選択肢中のいずれかの撮影条件を順次選択切換可能な第２の操作部材と、第１の操作部材が押された状態で第２の操作部材が操作されていない場合には、第１の操作部材が押された状態から離された状態に変化した後に第１の選択肢中の撮影条件を変更する制御手段と、を備えることを特徴とする。
（２）請求項２の発明は、請求項１に記載のカメラにおいて、制御手段は、第１の操作部材が押された状態で第２の操作部材が操作された場合には、第１の操作部材が押された状態から離された状態に変化した後においては第１の操作部材が選択していた第１の選択肢中の撮影条件を変更しないことを特徴とする。
（３）請求項３の発明は、請求項１に記載のカメラにおいて、制御手段は、第１の操作部材が押された状態で第２の操作部材が操作された場合には、第１の操作部材が押された状態から離された状態に変化すると、第２の操作部材の操作によって選択された第２の選択肢中の撮影条件を設定することを特徴とする。
（４）請求項４の発明は、請求項１に記載のカメラにおいて、複数の撮影条件からなる第２の選択肢の撮影条件は、複数の撮影距離を有するプリセットフォーカスモードであり、複数の撮影距離の各々は、第１の操作部材が押された状態での第２の操作部材の操作によって選択され、制御手段は、第１の操作部材が押された状態で第２の操作部材が操作された場合には、第１の操作部材が押された状態から離された状態に変化すると、第２の操作部材の操作によって選択された撮影距離のプリセットフォーカスモードを設定することを特徴とする。
（５）請求項５の発明は、請求項１に記載のカメラにおいて、制御手段は、第１の操作部材が押された状態で第２の操作部材が操作された場合には、第１の操作部材が押された状態から離された状態に変化すると、第２の操作部材の操作によって選択された第２の選択肢中の撮影条件を設定するが、第１の操作部材が選択していた第１の選択肢中の撮影条件を変更せず、その後に第１の操作部材が押されて再度離されると、選択されていた第１の選択肢の撮影条件を設定することを特徴とする。
（６）請求項６の発明は、請求項１〜５のいずれか１項に記載のカメラにおいて、第２の操作部材は、被操作量に応じて電気信号を出力するダイヤル操作部材であることを特徴とする。
【０００８】
なお、本発明の構成を説明する上記課題を解決するための手段の項では、本発明を分かり易くするために発明の実施の形態の図を用いたが、これにより本発明が実施の形態に限定されるものではない。
【０００９】
【発明の実施の形態】
図１〜図５を参照して本発明が適用される電子カメラについて説明する。電子カメラ１００を被写体側から見た様子を示す図１において、電子カメラ１００は大きく分けて本体部３０とカメラ部４０とで構成される。本体部３０とカメラ部４０とは軸ＡＸを介し、紙面の水平方向に対して平行な方向に延在する回動軸を中心として相対回動可能に連結される。
【００１０】
本体部３０の上面にはレリーズスイッチ２６、測光モード切換スイッチ２１、画質モード切換スイッチ２２、フォーカスモード切換スイッチ２３、閃光撮影モード切換スイッチ２４、そして液晶表示部１が配設される。なお、以下では液晶表示部１を「ＬＣＤ１」と称する。本体部３０に形成されるグリップ部３０ａの上部には、ダイヤルスイッチ２８が配設される。このダイヤルスイッチ２８は、矢印ａで示されるように時計回り方向または半時計回り方向に回転操作可能である。本体部３０の後方の面にはズームスイッチ２５が配設される。
【００１１】
カメラ部４０には、焦点距離可変の撮影レンズ４２、そして閃光装置４４などが配設される。
【００１２】
図２は、電子カメラ１００の内部構成を概略的に示すブロック図である。電子カメラ１００の動作を統括制御するＣＰＵ５０には、ダイヤルスイッチ２８と、レリーズスイッチ２６と、測光モード切換スイッチ２１と、画質モード切換スイッチ２２と、フォーカスモード切換スイッチ２３と、閃光撮影モード切換スイッチ２４と、ズームスイッチ２５とが接続される。ＣＰＵ５０にはまた、ＬＣＤ１と、閃光装置４４とズーム駆動部４５とフォーカス駆動部４６とシャッタ４８と、ＣＣＤ４７と、ＡＳＩＣ６０とが接続される。
【００１３】
上述したスイッチのうち、レリーズスイッチ２６、測光モード切換スイッチ２１、画質モード切換スイッチ２２、フォーカスモード切換スイッチ２３、閃光撮影モード切換スイッチ２４、そしてズームスイッチ２５は押されるとオンし、離されるとオフするモーメンタリ動作のプッシュスイッチである。この中でズームスイッチ２５は２回路のスイッチであり、図２のＴ側に倒すことで端子２５ａの側がオンする一方、Ｗ側に倒すことで端子２５ｂの側がオンするいわゆるシーソータイプのスイッチである。
【００１４】
ダイヤルスイッチ２８は、基板２８ｄと、基板２８ｄに接触する３本のブラシ２８ａ、２８ｂおよび２８ｃとで構成される。ブラシ２８ａ、２８ｂおよび２８ｃのうち、ブラシ２８ｃは接地され、信号はブラシ２８ａおよび２８ｂから出力される。ダイヤルスイッチ２８の回転に伴い、ブラシ２８ａおよび２８ｂからは互いに位相のずれた２相のパルス信号が出力される。これら２相のパルス信号の位相差は、ダイヤルスイッチ２８の回転方向に応じて変化する。このため、ＣＰＵ５０はダイヤルスイッチ２８の回転方向とダイヤルスイッチ２８から出力されるパルス数とを検知することができる。
【００１５】
ＣＰＵ５０とＡＳＩＣ６０との間に敷設されるデータバスＤＢには、ＲＡＭ５２と、ＲＯＭ５４とが接続され、さらにコネクタ５６ａを介してカード状のフラッシュメモリ５６が電子カメラ１００に対して挿脱可能に接続される。
【００１６】
ＬＣＤ１は、上述したスイッチを介して撮影者により設定された撮影条件や撮影可能駒数等を表示するためのものである。このＬＣＤ１については後で詳しく説明する。閃光装置４４は、ＣＰＵ５０からの発光指令信号に基づいて閃光を発する。
【００１７】
ズーム駆動部４５は、ＣＰＵ５０から出力される制御信号に基づき、撮影レンズ４２を構成する複数のレンズ群をこれらレンズ群の光軸方向に相対移動させて撮影レンズ４２の焦点距離を変化させるためのものである。撮影レンズ４２には、設定された焦点距離に応じた信号を発するためのズームエンコーダ（不図示）が内蔵され、この信号はＣＰＵ５０に出力される。
【００１８】
フォーカス駆動部４６は、ＣＰＵ５０から出力される制御信号に基づいて撮影レンズ４２内のフォーカシングに係るレンズをその光軸方向に移動させるためのものである。
【００１９】
シャッタ４８は、撮影レンズ４２を経てＣＣＤ４７に入射する被写体光を遮断するためのものである。ＣＣＤ４７は、撮影レンズ４２によって形成される被写体像を光電変換し、アナログの画像信号をＡＳＩＣ６０に出力する。
【００２０】
ＡＳＩＣ６０は、ＣＣＤ６０より出力されるアナログ画像信号を所定のゲインで増幅してＡ／Ｄ変換し、画像データを生成する。ＡＳＩＣ６０は、この画像データに階調補正や画像圧縮等の画像処理を施し、フラッシュメモリ５６に記録する。ＡＳＩＣ６０には、撮影モード時にはＣＣＤ４７から出力される画像信号に基づく画像を表示し、再生モード時にはフラッシュメモリ５６から読み出した画像データに基づく画像を表示するための表示部６２が接続されている。表示部６２へ画像を表示する制御は、ＣＰＵ５０からＡＳＩＣ６０に画像表示指令信号が出力されるのに応答してＡＳＩＣ６０により行われる。この表示部は、図１に示される本体部３０の後面に配設される。
【００２１】
ＲＡＭ５２には、ＣＰＵ５０およびＡＳＩＣ６０の双方からアクセス可能であり、大きく分けてＣＰＵ５０用の作業領域とＡＳＩＣ６０用の作業領域とに分けられる。ＣＰＵ５０用の作業領域は、変数の一時記憶エリアとして用いられ、またスタックエリアとしても用いられる。ＡＳＩＣ６０用の作業領域は、撮影して得られる画像データを一時的に記憶し、階調補正や画像圧縮等の画像処理を施すためのエリアとして用いられる。ＲＯＭ５４には、ＣＰＵ５０が電子カメラ１００を統括制御するための制御手順等が記憶される。
【００２２】
電子カメラ１００は、以上に説明したような内部構成を有する。撮影者は、測光モード切換スイッチ２１、画質モード切換スイッチ２２、フォーカスモード切換スイッチ２３、閃光撮影モード切換スイッチ２４、そしてダイヤルスイッチ２８を操作し、後で詳しく説明する種々の撮影条件を設定する。撮影者はまた、ズームスイッチ２５やレリーズスイッチ２６を操作する。ＣＰＵ５０は、これらのスイッチを介して設定された撮影条件に基づいてズーム駆動部４５、フォーカス駆動部４６シャッタ４８、ＣＣＤ４７、そしてＡＳＩＣ６０に制御信号を発して撮影動作全体の制御を行う。
【００２３】
図３は、本体部３０の上面に配設されるＬＣＤ１、測光モード切換スイッチ２１、画質モード切換スイッチ２２、フォーカスモード切換スイッチ２３そして閃光撮影モード切換スイッチ２４を拡大して示したものである。また、図４は上述したスイッチのいずれかを操作することによって設定される撮影条件が変化する様子を説明する図である。以下、図２〜図４を参照し、どのように種々の撮影条件が設定されるかについて説明する。
【００２４】
図３においては、ＬＣＤ１の表示セグメントをすべて表示させた状態を示しているが、実際には設定された撮影条件等に応じてこれらの表示セグメントのうちのいくつかが表示され、あるいは表示状態と非表示状態とが一定周期で繰り返される。なお、以下ではＬＣＤ１の表示セグメントを表示させることを「点灯」と称し、非表示にすることを「消灯」と称する。また、表示状態と非表示状態とを一定周期で繰り返すことを「点滅」と称する。ＬＣＤ１の各表示セグメントの点灯、消灯、および点滅は、図２に示されるＣＰＵ５０により制御される。
【００２５】
表示セグメント１０は、図２に示されるフラッシュメモリ５６が電子カメラ１００に装着されているか否かを表示するためのもので、フラッシュメモリ５６が装着されている場合にこの表示セグメント１０が点灯される。表示セグメント１１は、電子カメラ１００の電源である電池の残容量を表示するためのもので、電池の残容量の状態によって表示セグメント１１の表示状態は変化する。表示セグメント１２は、装着されるフラッシュメモリの空き容量や１駒の画像のファイルサイズ等によって決まる撮影可能駒数を表示するためのものである。以上に説明したもの以外の表示セグメントについては後で説明する。
【００２６】
ＬＣＤ１の近傍には測光モード切換スイッチ２１、画質モード切換スイッチ２２、フォーカスモード切換スイッチ２３そして閃光撮影モード切換スイッチ２４が配設される。それぞれのスイッチの近傍には、それぞれのスイッチの機能を説明する絵文字２１ａ、２２ａ、２３ａ、そして２４ａが印刷や刻印等によって表示されている。上述したスイッチは、先に説明したようにいずれもモーメンタリ動作のプッシュスイッチであり、押して離す動作を繰り返すことにより後述するように各種の撮影条件を切り換えることができる。あるいは、プッシュスイッチに変えてタッチセンサ式のスイッチであっても、スライド式のスイッチであってもよいし、レバースイッチ等であってもよい。以下の説明では、これらのプッシュスイッチを押すことを「オンする」と称し、プッシュスイッチから指を離すことを「オフする」と称する。
【００２７】
−  測光モード切換  −
測光モード切換スイッチ２１は、電子カメラ１００の測光モードを切り換えるためのスイッチである。撮影者は、測光モード切換スイッチ２１をオンしてオフする動作を繰り返すことにより、分割測光モード、中央部重点測光モード、そしてスポット測光モードのうちのいずれかの測光モードに切り換えることができる。このときにＬＣＤ１の表示セグメントの切り替わる様子を図４（ａ）に示す。測光モード切換スイッチ２１のオン、オフを繰り返すことにより測光モードは分割測光モード、中央部重点測光モード、スポット測光モード、そして再び分割測光モードとサイクリックに切り替わる。測光モードの切換にしたがって、ＬＣＤ１の表示セグメントも図４（ａ）に示されるように切り替わる。このとき、測光モード切換スイッチ２１をオンした時点では測光モードは切り替わらず、測光モード切換スイッチ２１をオフしたときに測光モードが切り替わる。この理由については後で説明する。
【００２８】
測光モード切換スイッチ２１が撮影者により操作されて分割測光モードが選択された場合、ＬＣＤ１の表示セグメント８ａ、８ｂおよび８ｃのうち、表示セグメント８ａが点灯される。同様に、中央部重点測光が選択されたときには表示セグメント８ｂが、スポット測光モードが選択されたときには表示セグメント８ｃが点灯される。
【００２９】
測光モード切換スイッチ２１は、上述した測光モードを切り換えるときだけでなく、露出補正量を設定するときにも用いられる。以下、露出補正量の設定方法について説明する。
【００３０】
撮影者は、露出補正量の設定に際して、測光モード切換スイッチ２１をオンした状態で図１および図２に示すダイヤルスイッチ２８を時計回り方向あるいは反時計回りの方向に回転操作する。以下、この操作を「測光モード切換スイッチ２１とダイヤルスイッチ２８とを同時操作する」と称する。このときＣＰＵ５０は、ダイヤルスイッチ２８の回転方向を検知するとともにダイヤルスイッチ２８から出力されるパルス数を計数する。ＣＰＵ５０は、検出されたダイヤルスイッチ２８の回転方向とパルス数とに基づいて設定露出補正量を変化させ、そのときの露出補正量について図４（ａ）の破線で囲われた記号および数字のいずれかを表示セグメント９で表示する。このようにして設定された露出補正量がゼロ以外のときには、表示セグメント９とともに表示セグメント８ｄを点灯または点滅させ、撮影者に注意を促す。
【００３１】
上述のようにして露出補正量を設定する際、撮影者が測光モード切換スイッチ２１をオフしたとき、ＣＰＵ５０は測光モード切換スイッチ２１のオフを検知するが、撮影者が露出補正量の設定を目的としているものと判断して測光モードの切り換えは行わない。
【００３２】
上述のように、ＣＰＵ５０は測光モード切換スイッチ２１のオン操作ではなくオンからオフへの操作に応答して測光モードを切り換えるようにしたため、測光モード切換スイッチ２１とダイヤルスイッチ２８とを同時操作した場合には測光モードを切り換えることなく、露出補正量のみの設定が可能となる。つまり、測光モード切換スイッチ２１のオン、オフ操作のみを繰り返すことにより、一の選択肢中の撮影条件のうちのいずれかを順次選択切換できる。そして、測光モード切換スイッチ２１とダイヤルスイッチ２８とを同時操作することにより上記一の選択肢とは異なる選択肢中の撮影条件のうちのいずれかを順次選択切換できる。
【００３３】
−  画質モード切換  −
画質モード切換スイッチ２２は、撮影して記録する画像のサイズを切り換えるためのスイッチである。撮影者は、画質モード切換スイッチ２２をオンしてオフする動作を繰り返すことにより、撮影して記録する画像のサイズをＣＣＤ４７の有効画素数で得られる最大の大きさであるフルサイズ、ＸＧＡ（１０２４×７６８画素）、そしてＶＧＡ（６４０×４８０画素）のうち、いずれかの画質モードを選択することができる。このときにＬＣＤ１の表示セグメントの切り替わる様子を図４（ｂ）に示す。画質モード切換スイッチ２２のオン、オフを繰り返すことにより、画像のサイズはＦＵＬＬ、ＸＧＡ、ＶＧＡ、そして再びＦＵＬＬと、サイクリックに切り替わる。画像のサイズの切換にしたがって、ＬＣＤ１の表示セグメントも図４（ｂ）に示されるように切り替わる。このとき、画質モード切換スイッチ２２をオンした時点では画像のサイズは切り替わらず、画質モード切換スイッチ２２をオフしたときに画像のサイズが切り替わるのは、先に説明した測光モード切換スイッチ２１と同様である。
【００３４】
画質モード切換スイッチ２２が撮影者により操作されてＦＵＬＬが選択された場合、ＬＣＤ１の表示セグメント２ａ、２ｂおよび２ｃのうち、表示セグメント２ａが点灯される。同様に、ＸＧＡが選択されたときには表示セグメント２ｂが、ＶＧＡが選択されたときには表示セグメント２ｃが点灯される。
【００３５】
画質モード切換スイッチ２２は、上述した画像のサイズを切り換えるときだけでなく、画像データの圧縮率を設定するときにも用いられる。以下、画像データの圧縮率の設定方法について説明する。
【００３６】
撮影者は、画質モード切換スイッチ２２をオンした状態で図１および図２に示すダイヤルスイッチ２８を時計回り方向あるいは反時計回りの方向に回転操作する。以下、この操作を「画質モード切換スイッチ２２とダイヤルスイッチ２８とを同時操作する」と称する。このときＣＰＵ５０は、ダイヤルスイッチ２８の回転方向を検知するとともにダイヤルスイッチ２８から出力されるパルス数を計数する。ＣＰＵ５０は、検出されたダイヤルスイッチ２８の回転方向とパルス数とに基づいて画像データの圧縮率を変化させ、そのときの圧縮率に応じて図４（ｂ）の破線で囲われた文字列のいずれかを表示セグメント３ａ、３ｂ、３ｃおよび３ｄのうちのいずれかで表示する。画質モード切換スイッチ２２とダイヤルスイッチ２８とを同時操作した場合、この画質モードは変更されない。
【００３７】
表示セグメント３ａが表示されるＨＩモードでは、いわゆるＣＣＤ  ＲＡＷデータと呼ばれる画像データがフラッシュメモリ５６に記録される。このＣＣＤ  ＲＡＷデータは、ＪＰＥＧ等の画像データ圧縮アルゴリズムによる非可逆画像圧縮がなされないため、画像圧縮にともなう画質の劣化が抑止される。表示セグメント３ｂが表示されるＦＩＮＥモードにおいては、１／４程度に圧縮された画像データがフラッシュメモリ５６に記録される。表示セグメント３ｃが表示されるＮＯＲＭＡＬモードにおいては、１／８程度に圧縮された画像データがフラッシュメモリ５６に記録される。表示セグメント３ｄが表示されるＢＡＳＩＣモードにおいては、１／１６程度に圧縮された画像データがフラッシュメモリ５６に記録される。
【００３８】
上述のように画像データの圧縮率を設定する際、撮影者が画質モード切換スイッチ２２をオフしたとき、ＣＰＵ５０は画質モード切換スイッチ２２のオフを検知するが、撮影者が画像データの圧縮率の設定を目的としているものと判断して画質モードの切り換えは行わない。
【００３９】
−  フォーカスモード切換  −
フォーカスモード切換スイッチ２３は、電子カメラ１００のフォーカスモード等を切り換えるためのスイッチである。撮影者は、フォーカスモード切換スイッチ２３をオンしてオフする動作を繰り返すことにより、ＡＦモード、遠景ピント固定モード、マクロモード、そしてセルフタイマーモードのうちのいずれかのモードを選択することができる。このときにＬＣＤ１の表示セグメントの切り替わる様子を図４（ｃ）に示す。フォーカスモード切換スイッチ２３のオン、オフを繰り返すことによりフォーカスモードはＡＦモード、遠景ピント固定モード、マクロモード、セルフタイマーモード、そして再びＡＦモードとサイクリックに切り替わる。フォーカスモードの切換にしたがって、ＬＣＤ１の表示セグメントも図４（ｃ）に示されるように切り替わる。このとき、フォーカスモード切換スイッチ２３をオンした時点ではなく、オフした時点でフォーカスモードが切り替わる。
【００４０】
フォーカスモード切換スイッチ２３が撮影者により操作されてＡＦモードが選択された場合、ＬＣＤ１の表示セグメント４ａ、４ｂ、４ｃおよび４ｄのうち、表示セグメント４ａが点灯される。同様に、遠景ピント固定モードが選択されたときには表示セグメント４ｂが、マクロモードが選択されたときには表示セグメント４ｃが、そしてセルフタイマーモードが選択されたときには表示セグメント４ｄが点灯される。
【００４１】
フォーカスモード切換スイッチ２３は、上述したフォーカスモード等を切り換えるときだけでなく、予め設定された撮影距離にピントを合わせるプリセットフォーカスモードの設定および撮影距離の設定をするときにも用いられる。以下、プリセットフォーカスモードの設定およびプリセットフォーカスモード時の撮影距離の設定方法について説明する。
【００４２】
撮影者は、フォーカスモード切換スイッチ２３をオンした状態で図１および図２に示すダイヤルスイッチ２８を時計回り方向あるいは反時計回りの方向に回転操作する。以下、この操作を「フォーカスモード切換スイッチ２３とダイヤルスイッチ２８とを同時操作する」と称する。このときＣＰＵ５０は、ダイヤルスイッチ２８の回転方向を検知するとともにダイヤルスイッチ２８から出力されるパルス数を計数する。ＣＰＵ５０は、検出されたダイヤルスイッチ２８の回転方向とパルス数とに基づいてプリセットフォーカスモード時の撮影距離を変化させ、そのときの撮影距離について図４（ｃ）の破線で囲われた記号および数字のいずれかを表示セグメント５ｂで表示する。設定された撮影距離が無限遠の場合には表示セグメント５ｂが消灯され、表示セグメント５ｃが点灯される。また、設定された撮影距離が有限距離の場合には表示セグメント５ｃが消灯され、表示セグメント５ｂでその撮影距離が表示される。上記いずれの状態においてもＣＰＵ５０は、プリセットフォーカスモードが設定されていることを示す表示セグメント５ａを同時に点灯する。
【００４３】
上述のようにプリセットフォーカスモードの設定および撮影距離の設定をした後、撮影者がフォーカスモード切換スイッチ２３をオフするのをＣＰＵ５０が検知する。ＣＰＵ５０は、フォーカスモード切換スイッチ２３がオンされる前に設定されていたモードがＡＦモード、遠景ピント固定モードおよびマクロモードのうちのいずれかである場合にはこれらのモードは解除し、プリセットフォーカスモードを優先して設定する。なぜならば、上述した三つのフォーカスモードはプリセットフォーカスモードとは両立不可能なモードであり、一番最後に設定されたプリセットフォーカスモードを優先して設定するのが望ましいからである。したがって、プリセットフォーカスモードが設定される寸前に上記いずれかのフォーカスモードが設定されているのにともなって点灯されていた表示セグメント４ａ、４ｂおよび４ｃのうちのいずれかの表示セグメントは、プリセットフォーカスモードが設定された時点で消灯される。
【００４４】
一方、プリセットフォーカスモードが設定される寸前のモードがセルフタイマーモードの場合には、このセルフタイマーモードが維持され、表示セグメント４ｄの点灯状態も維持される。ＣＰＵ５０は、上記いずれの場合においても、プリセットフォーカスモードが設定される寸前に設定されていたモードを記憶する。そして、上述のようにプリセットフォーカスモードおよび撮影距離の設定が完了した後にフォーカスモード切換スイッチ２３がオンされ、そしてオフされたことを検知するとＣＰＵ５０はプリセットフォーカスモードを解除し、記憶されていたフォーカスモードに戻す。ＣＰＵ５０がこのようにプリセットフォーカスモードの設定される以前に設定されていたモードに復帰させる制御を行うことにより、電子カメラの操作性が向上する。あるいは、フォーカスモード切換スイッチ２３のオン・オフ操作によってプリセットフォーカスモードが解除されたときには常にＡＦモードに設定されるものであってもよい。
【００４５】
ここで、上述のようにプリセットフォーカスモードが設定された場合における電子カメラの作動について説明する。プリセットフォーカスモードおよびプリセットフォーカスモード時の撮影距離が設定されるのに応じ、ＣＰＵ５０はフォーカス駆動部４６に対して指令信号を発する。このとき、ＣＰＵ５０からフォーカス駆動部４６に対して発せられる指令信号は、以下に述べる理由により、撮影レンズ４２で設定されている焦点距離に応じて変化する。すなわち、ズームレンズは一般に、その結像位置を変化させることなく焦点距離を連続して可変なレンズとして定義される。しかし、実際にはズームレンズを構成するレンズ群の加工精度やこれらのレンズ群を保持する保持枠の加工精度、そしてズーミング動作にともなって各レンズ群の間隔を変化させるカムの加工精度等の製造誤差要因がある。このため、結像位置をまったく変化させることなく焦点距離を変化させることは困難である。そこで、本発明が適用される電子カメラにおいてＣＰＵ５０は、設定されたプリセットフォーカスモード時の撮影距離に関する情報と撮影レンズ４２の焦点距離に関する情報とを記憶する。そして、これら撮影距離に関する信号と焦点距離に関する情報とに基づいてフォーカス駆動部４６に指令信号を発する。なお、撮影レンズ４２で設定される焦点距離と、フォーカス駆動部４６に出力すべき制御信号との対応関係は、カメラ製造工程で個々のカメラが有する製造誤差に対応したデータが記録される。このデータは、たとえばＣＰＵ５０に接続されるＥＥＰＲＯＭ（不図示）等に記録される。なお、撮影レンズ４２をズームレンズとするのに代えてバリフォーカルレンズとしてもよい。この場合には、上述のようにズームレンズの製造誤差に対応したデータを記録するのに代えて、設定される焦点距離に対応してＣＣＤ４７上に常に先鋭像を結ぶために必要なピント補正量のデータをＥＥＰＲＯＭ等に記憶する。そして、設定された焦点距離に応じてフォーカス駆動部４６に制御信号を発すればよい。
【００４６】
プリセットフォーカスモードで設定された撮影距離の被写体に焦点が合うようにフォーカス駆動部４６が作動した後に撮影レンズ４２の焦点距離が変えられた場合も、ＣＰＵ５０は上述したようにフォーカス駆動部４６に対して制御信号を発する。ＣＰＵ５０が以上で説明したようにフォーカス駆動部４６に対して制御信号を発することにより、撮影レンズ４２の焦点距離によらず、設定された撮影距離の被写体に対して常に焦点を合わせることができる。
【００４７】
なお、本実施の形態において撮影レンズ４２は、ズーム駆動部４５により電気的に駆動される、いわゆる電動ズームレンズであるが、手動でズーム駆動を行うものであってもよい。
【００４８】
−  閃光撮影モード切換  −
閃光撮影モード切換スイッチ２４は、電子カメラ１００の閃光撮影モードを切り換えるためのスイッチである。撮影者は、閃光撮影モード切換スイッチ２４をオンしてオフする動作を繰り返すことにより、低輝度自動発光モード、スローシンクロ撮影モード、赤目軽減モード、強制発光モード、そして発光禁止モードのうちのいずれかの閃光モードに切り換えることができる。このときにＬＣＤ１の表示セグメントの切り替わる様子を図４（ｄ）に示す。閃光撮影モード切換スイッチ２４のオン、オフを繰り返すことにより、閃光撮影モードは低輝度自動発光モード、スローシンクロモード、赤目軽減モード、強制発光モード、発光禁止モード、そして再び低輝度自動発光モードとサイクリックに切り替わる。閃光撮影モードの切換にしたがって、ＬＣＤ１の表示セグメントも図４（ｄ）に示されるように切り替わる。このとき、閃光撮影モード切換スイッチ２４をオンした時点では閃光撮影モードは切り替わらず、閃光撮影モード切換スイッチ２４をオフしたときに閃光撮影モードが切り替わる。
【００４９】
閃光撮影モード切換スイッチ２４が撮影者により操作されて低輝度自動発光モードが選択された場合、ＬＣＤ１の表示セグメント６ａ、６ｂ、６ｃ、６ｄおよび６ｅのうち、表示セグメント６ａおよび６ｃが点灯される。同様に、スローシンクロモードが選択されたときには表示セグメント６ｂおよび６ｃが、赤目軽減モードが選択されたときには表示セグメント６ｃおよび６ｅが、強制発光モードが選択されたときには表示セグメント６ｃが、そして発光禁止モードが選択されたときには表示セグメント６ｃおよび６ｄが点灯される。
【００５０】
閃光撮影モード切換スイッチ２４は、上述した閃光撮影モードを切り換えるときだけでなく、ＣＣＤ感度を設定するときにも用いられる。以下、ＣＣＤ感度の設定方法について説明する。
【００５１】
撮影者は、閃光撮影モード切換スイッチ２４をオンした状態で図１および図２に示すダイヤルスイッチ２８を時計回り方向あるいは反時計回りの方向に回転操作する。以下、この操作を「閃光撮影モード切換スイッチ２４とダイヤルスイッチ２８とを同時操作する」と称する。このときＣＰＵ５０は、ダイヤルスイッチ２８の回転方向を検知するとともにダイヤルスイッチ２８から出力されるパルス数を計数する。ＣＰＵ５０は、検出されたダイヤルスイッチ２８の回転方向とパルス数とに基づいてＣＣＤ感度の設定を変化させ、そのときの設定内容について図４（ｄ）の破線で囲われた文字列または記号および数字のいずれかを表示セグメント７ａまたは７ｂで表示する。閃光撮影モード切換スイッチ２４とダイヤルスイッチ２８とが同時操作された場合、この閃光撮影モード切換スイッチ２４がオンされる寸前に設定されていた閃光撮影モードは変化しない。なお、ここでいうＣＣＤ感度とは、図２に示されるＣＣＤ４７自体の光電変換特性やＣＣＤ４７の後段に接続されるヘッドアンプのゲイン等によって定められるものを示す。つまり、ＣＣＤ４７の光電変換面に入射する光の照度と、ヘッドアンプを介して出力される信号のレベルとの関係により定められるものである。ＣＣＤ感度がＡＵＴＯに設定された場合、ヘッドアンプのゲインはＣＣＤ４７に入射する光の量に応じて自動的に定められる。ＣＣＤ感度が＋２、＋１．５、＋１．０、…に設定された場合、設定されたＣＣＤ感度に応じてヘッドアンプのゲインが変えられる。ヘッドアンプのゲインを制御するための信号は、ＣＰＵ５０からＡＳＩＣ６０に出力される
【００５２】
上述のようにＣＣＤ感度の設定切換をする際、撮影者が閃光撮影モード切換スイッチ２４をオフしたとき、ＣＰＵ５０は閃光撮影モード切換スイッチ２４のオフを検知するが、撮影者がＣＣＤ感度の設定切換を目的としていると判断して閃光撮影モードの切り換えは行わない。
【００５３】
上述のように、ＣＰＵ５０は閃光撮影モード切換スイッチ２４のオンからオフへの切り替わりを検知してから閃光撮影モードを切り換える。このため、ダイヤルスイッチ２８の操作が検知されないときには閃光撮影モードを切り換えることができ、ダイヤルスイッチ２８の操作が検知されたときには閃光撮影モードを切り換えることなく、ＣＣＤ感度の設定切換のみが可能となる。
【００５４】
以上に説明した測光モード、画質モード、フォーカスモード、そして閃光撮影モードの切換操作のうち、撮影者が測光モードを切り換える操作を行うのに応答してＣＰＵ５０により実行される動作を例に図２、図３および図５を参照して説明する。
【００５５】
図５は、撮影者が測光モード切換スイッチ２１をオンしたときに、ＣＰＵ５０により実行が開始される測光モード切換制御手順を説明するフローチャートである。ステップＳ１０１においてＣＰＵ５０は、フラグをリセットする。なお、このフラグは、測光モード切換スイッチ２１がオンされた状態でダイヤルスイッチ２８が操作されたときにセットされるものである。
【００５６】
ステップＳ１０２においてＣＰＵ５０は、撮影者がダイヤルスイッチ２８を操作したか否かをダイヤルスイッチ２８からＣＰＵ５０に入力されるパルス信号の有無に基づいて判定する。ＣＰＵ５０は、この判定が肯定されるとステップＳ１０３に進む一方、否定されるとステップＳ１１０に分岐する。
【００５７】
ステップＳ１０３においてＣＰＵ５０は、ステップＳ１０２でダイヤルスイッチ２８を撮影者が操作したと判定したことを受け、フラグをセットする。
【００５８】
ステップＳ１０４においてＣＰＵ５０は、ダイヤルスイッチ２８が設定値を増す方向に回されたか否かを判定する。この判定は、ダイヤルスイッチ２８よりＣＰＵ５０に入力される２相のパルス信号の位相差によって判定される。ＣＰＵ５０は、ステップＳ１０４における判定が肯定されるとステップＳ１０５に進む一方、否定されるとステップＳ１２０に分岐する。
【００５９】
ステップＳ１０５においてＣＰＵ５０は、ステップＳ１０５の実行時点で既に設定されている露出補正量が上限、すなわち本実施の形態においては＋２．５（ＥＶ）であるか否かを判定する。ステップＳ１０５の判定が肯定された場合、ＣＰＵ５０は何もせずにステップＳ１０２に戻る。つまり、露出補正量が上限に達している場合にはそれ以上露出補正量を増すことができないので、何もせずにステップＳ１０２に戻る。ＣＰＵ５０は、ステップＳ１０５の判定が否定された場合、すなわち露出補正量をさらに増す余地がある場合にステップＳ１０６に進み、露出補正量を０．５増す。
【００６０】
ステップＳ１０７の説明に先だってステップＳ１０４における判定が否定された場合におけるＣＰＵ５０の処理について説明する。ステップＳ１０４における判定が否定された場合、すなわちダイヤルスイッチ２８が設定値を減じる方向に回された場合、ＣＰＵ５０はステップＳ１２０に分岐する。
【００６１】
ステップＳ１２０においてＣＰＵ５０は、ステップＳ１２０実行時点で既に設定されている露出補正量が下限か、すなわち本実施の形態では−２．５（ＥＶ）であるか否かを判定する。ステップＳ１２０での判定が肯定されるとＣＰＵ５０は、何もせずにステップＳ１０２に戻る。つまり、露出補正量が下限に達している場合には露出補正量をそれ以下に減じることができないので、何もせずにステップＳ１０２に戻る。一方、ステップＳ１２０での判定が否定されるとＣＰＵ５０はステップＳ１２１に進み、露出補正量を０．５減じる。ＣＰＵ５０は、ステップＳ１２１における処理を終えてステップＳ１０７に進む。
【００６２】
ステップＳ１０７においてＣＰＵ５０は、ステップＳ１０６あるいはステップＳ１２１で更新された露出補正量がゼロか否かを判定する。ＣＰＵ５０は、ステップＳ１０７の判定が肯定されるとステップＳ１０８に進み、表示セグメント８ｄを消灯する一方、否定されるとステップＳ１２２に分岐して表示セグメント８ｄを点灯する。なお、ステップＳ１２２実行以前の時点ですでに表示セグメント８ｄが点灯している場合、ＣＰＵ５０はステップＳ１２２において表示セグメント８ｄの点灯状態を維持する。
【００６３】
ステップＳ１０９においてＣＰＵ５０は、ステップＳ１０６あるいはステップＳ１２１で更新された露出補正量に基づいて表示セグメント９の表示内容を更新する。
【００６４】
ステップＳ１１０においてＣＰＵ５０は、測光モード切換スイッチ２１が引き続きオンされているか否かを判定し、肯定されるとステップＳ１０２に戻る。一方、ステップＳ１１０での判定が否定される、すなわち測光モード切換スイッチ２１がオフされたと判定するとステップＳ１１１に進む。
【００６５】
ステップＳ１１１においてＣＰＵ５０は、フラグがセットされているか否か、すなわち測光モード切換スイッチ２１がオンされた状態でダイヤルスイッチ２８が操作されたか否かを判定する。ＣＰＵ５０は、ステップＳ１１１での判定が肯定される、すなわち撮影者は露出補正量の設定の変更を行ったと判定するとステップＳ１１２に進み、測光モードの変更をしない処理を行う。一方、ステップＳ１１１での判定が否定される、すなわち撮影者は露出補正量の設定の変更を行っていない判定すると、ＣＰＵ５０はステップＳ１２３に分岐して測光モードの変更処理を行う。ここでステップＳ１２３における測光モードの変更処理について説明する。ステップＳ１２３の実行以前の時点において既に設定されている測光モードが分割測光モードの場合、ＣＰＵ５０は新たな測光モードとして中央部重点測光モードを設定する。同様に、ステップＳ１２３の実行以前の時点において既に設定されている測光モードが中央部重点測光モードの場合にはスポット測光モードを、スポット測光モードが既に設定されているときには分割測光モードを新たな測光モードとして切換設定する。
【００６６】
ＣＰＵ５０は、以上のステップＳ１０１〜ステップＳ１２３の処理を終えると測光モード切換処理プログラムから抜けて撮影者による次の操作を待ち受ける処理プログラムに移行する。
【００６７】
以上に説明したように、本発明の実施の形態に係る電子カメラでは、複数あるモード切換スイッチごとにグループ分けして切換設定可能な撮影条件の選択肢が決められている。そしてこれら複数のモード切換スイッチのうち、いずれかのモード切換スイッチについてオン・オフ操作を繰り返すことにより、そのモード切換スイッチに対応してグループ分けされた選択肢中の撮影条件を選択切換可能である。さらに、そのモード切換スイッチをオンした状態で別の切換スイッチ、すなわちダイヤルスイッチ２８を操作することにより、さらに別にグループ分けされた選択肢中の撮影条件を選択切換可能である。このような電子カメラによれば、より少ない操作スイッチの数でより多くの撮影条件を設定することができる。
【００６８】
また、モード切換スイッチのオン・オフ操作のみで切換設定可能な撮影条件の選択肢については、より使用頻度の比較的高いもの、すなわち測光モード、画質モード、フォーカスモード、あるいは閃光撮影モード等とすることにより電子カメラの操作性が向上する。一方、あるスイッチをオンした状態で別のスイッチを操作して切換可能な撮影条件の選択肢については使用頻度の比較的低いもの、あるいは誤って設定されると好ましい撮影結果の得られないもの、すなわち露出補正やプリセットフォーカス、ＣＣＤ感度等とすることにより撮影条件の切換設定の操作が煩雑化するのを抑制でき、誤操作も抑制できる。
【００６９】
−  変形実施例  −
以上では、たとえば測光モード切換スイッチ２１をオンした状態でダイヤルスイッチ２８を操作することにより切換設定可能な撮影条件は露出補正量を−２．５ＥＶ〜＋２．５ＥＶのうちのいずれかだけに限られていた。これに対し、第１の選択スイッチのオン・オフ操作の繰り返しによって切換設定可能な撮影条件の選択肢をＡ、Ｂ、Ｃとしたときに、選択肢Ａが選択されている状態で第１の選択スイッチをオンにしたまま第２の選択スイッチを操作することによりＡの選択肢に関連する複数の選択肢Ｄ、Ｅ、Ｆのうちの一つを選択可能としてもよい。つまり、第１の選択スイッチをオンにしたまま第２の選択スイッチを操作して選択切換可能な選択肢が、第１の選択スイッチのオン・オフ操作によって予め選択されている選択肢に応じて複数存在するものであってもよい。以下、この例について図６を参照して説明する。
【００７０】
図６は、第１の選択スイッチのオン・オフ操作の繰り返しおよび第１の選択スイッチをオンした状態で第２の選択スイッチ（いずれも不図示）を操作することにより選択切換可能な電子カメラにおける撮影条件の選択肢を模式的に描いた図である。なお、以下では第１の選択スイッチが本発明の実施の形態で説明した測光モード切換スイッチ２１などと同様のプッシュスイッチであるものとし、第２の選択スイッチが同じく本発明の実施の形態で説明したダイヤルスイッチ２８と同様のスイッチであるものとして説明する。
【００７１】
第１の選択スイッチのオン、オフを繰り返すことにより、図６に示されるように撮影モードがシングル撮影モード、連写モード、リモコン撮影モード、セルフタイマー撮影モード、そして再びシングル撮影モードと、サイクリックに切り替わる。
【００７２】
シングル撮影モードが予め選択されている状態で、第１の選択スイッチをオンにしたまま第２の選択スイッチを操作することにより選択切換可能な撮影条件はない。したがって、電子カメラはシングル撮影モードが予め選択されている状態で、撮影者が第１の選択スイッチをオンにしたまま第２の選択スイッチを操作しても反応しない。
【００７３】
連写モードが予め選択されている状態で、第１の選択スイッチをオンにしたまま第２の選択スイッチを操作することにより選択切換可能な撮影条件は、ムービー画像撮影モード、高速連写モードおよび低速連写モードの三つである。上述のように第１および第２の選択スイッチを操作することにより、上述した三つの連写モードがサイクリックに切り替わる。これら三つの連写モードについて、撮影者が選択切換の操作をしなかった場合には、一番使用頻度の高いモードがデフォルトで設定される。あるいは、これらのモードのうち、一番最後に設定されたモードが記憶されていて、そのモードが設定されるものであってもよい。
【００７４】
リモコン撮影モードが選択されている状態で、第１の選択スイッチをオンにしたまま第２の選択スイッチを操作することにより選択切換可能な撮影条件は、リモコンの操作に即応してレリーズされるクイックレリーズモードと、リモコンを操作してから２秒後にレリーズされるディレイモードの二つである。上述のように第１および第２の選択スイッチを操作することにより、上述した二つのリモコン撮影モードが交互に切り替わる。これら二つのリモコン撮影モードについて、撮影者が選択切換の操作をしなかった場合には、一番使用頻度の高いモードがデフォルトで設定される。あるいは、これらのモードのうち、一番最後に設定されたモードが記憶されていて、そのモードが設定されるものであってもよい。
【００７５】
セルフタイマー撮影モードが選択されている状態で、第１の選択スイッチをオンにしたまま第２の選択スイッチを操作することにより選択切換可能な撮影条件は、１回のレリーズ操作で１回のセルフタイマー撮影が実行されるシングルセルフタイマーモードと、１回のレリーズ操作で２回のセルフタイマー撮影が実行されるダブルセルフタイマー撮影モードの二つである。上述のように第１および第２の選択スイッチを操作することにより、上述した二つのセルフタイマー撮影モードが交互に切り替わる。これら二つのセルフタイマー撮影モードについて、撮影者が選択切換の操作をしなかった場合には、一番使用頻度の高いモードがデフォルトで設定される。あるいは、これらのモードのうち、一番最後に設定されたモードが記憶されていて、そのモードが設定されるものであってもよい。
【００７６】
以上のように、第１の選択スイッチをオンにしたまま第２の選択スイッチを操作することにより、予め第１の選択スイッチのオン・オフ操作を繰り返して選択切換された撮影条件の選択肢に関連する別の撮影条件の選択肢の中から、所望の撮影条件を選択切換することができる。このようにすることにより、撮影者は直観的に撮影条件の選択切換ができ、操作性に優れた電子カメラとすることができる。また、上述のように第１および第２の選択スイッチを組み合わせて用いることにより、多数の撮影条件の選択肢群に対応して多数の選択スイッチを電子カメラに設ける必要がなくなる。このため、電子カメラの小型化や製造コストの削減を図ることができる。同時に、選択スイッチの数が整理されることにより、撮影者は所望の撮影条件を設定するためにどの選択スイッチを操作すればよいのかの判定も容易になり、操作性に優れた電子カメラとすることができる。
【００７７】
以上では、プッシュスイッチとダイヤルスイッチとを有する電子カメラを例に説明したが、この例に限られない。たとえば、プッシュスイッチとズームスイッチ２５のようなシーソー式のスイッチとを有するものであってもよい。あるいはこれらダイヤルスイッチやシーソー式のスイッチに代えて二つのプッシュスイッチを並べて設けた、いわゆるアップダウンスイッチを用いるものであってもよい。
【００７８】
さらに、上記実施の形態においてダイヤルスイッチ２８を無くし、ズームスイッチ２５を用いることもできる。この場合、測光モード切換スイッチ２１等の切換スイッチをオンしない状態でズームスイッチ２５を操作すれば通常のズーミングを行うことができるのに加え、測光モード切換スイッチ２１等の切換スイッチをオンした状態でズームスイッチ２５を操作すれば撮影条件の設定が可能となる。また、以上では本発明を電子カメラに適用する例について説明したが、銀塩フイルムを用いるカメラや他の機器に適用することも可能である。
【００７９】
以上の発明の実施の形態と請求項との対応において、測光モード切換スイッチ２１、画質モード選択スイッチ２２、フォーカスモード切換スイッチ２３および閃光撮影モード選択スイッチ２４が第１の操作部材を、ダイヤルスイッチ２８が第２の操作部材、操作部材およびダイヤル操作部材を、レリーズスイッチ２６が撮影開始指令部材を、フォーカス駆動部４６が焦点調節レンズ駆動手段を、ダイヤルスイッチ２８が操作量出力手段を、ＣＰＵ５０が制御手段を、ＣＣＤ４７が光電変換手段を、表示部６２が表示手段をそれぞれ構成する。
【００８０】
【発明の効果】
以上に説明したように、
（１）  請求項１に記載の発明によれば、第１の操作部材のみの操作によって第１の選択肢中のいずれかの撮影条件を選択切換できるのに加え、第１の操作部材を押した状態で第２の操作部材を操作することにより第２の選択肢中のいずれかの撮影条件を選択切換することができる。このとき、第１の操作部材が押された状態から離された状態に変化したときに第１の選択肢中の撮影条件は切り換えられる。したがって、第２の選択肢中のいずれかの撮影条件を選択切換をするために第１の操作部材および第２の操作部材を操作する際、まず第１の操作部材を押したときに撮影条件が変化することがないので、操作者の混乱を招くことがない。
（２）  請求項２に記載の発明によれば、第１の操作部材を押した状態で第２の操作部材が操作されたことが検出された場合、第１の操作部材が押された状態から離された状態に変化したときに、第１の選択肢中の撮影条件が切り換えられることがない。このため、第２の選択肢中のいずれかの撮影条件を選択切換する際に第１の選択肢中の撮影条件も切り換えられてしまって操作者の混乱を招くという不具合を抑止できる。
（３）  請求項３に記載の発明は、種々の撮影条件を設定するための操作部材が操作されるのに応じて、撮影開始指令部材の操作の有無によらず焦点調節レンズ駆動手段に対して焦点調節指令信号を発するものである。このため、操作部材を操作するだけで、この操作部材の操作量に応じた撮影距離に焦点を合わせることができる。つまり、操作部材を操作し、それから撮影開始指令操作部材を操作し、表示される画像を確認して所望の撮影距離にピントが合っているかどうかを確認するという煩雑な動作を無くし、表示される画像を見ながら操作部材を操作するだけで焦点調節を行うことができる。
また、撮影レンズがズームレンズなどの場合、焦点距離を変化させたときに撮影レンズに焦点移動を生じることがある。この場合、もともとピントの合っていた撮影距離にある被写体に対するピントがずれてしまい、表示される画像もぼけてしまうことがある。このような場合も、請求項３に記載の発明によれば操作部材で設定された撮影距離にピントが合わせ続けられるので、撮影レンズをズーミングした後、撮影開始指令部材を再度操作してピントを合わせ直す必要もなく、表示手段には常に鮮鋭な画像が表示され、操作性に優れる。
（４）  請求項４に記載の発明によれば、ダイヤル操作部材の操作により焦点調節レンズ駆動手段に対して焦点調節指令信号を発することができるので、所望の撮影距離にピントを合わせる動作を速やかに行うことができる。
【図面の簡単な説明】
【図１】本発明が適用される電子カメラの外観を示す図である。
【図２】電子カメラの回路構成を概略的に示すブロック図である。
【図３】液晶表示部および各種モード切換スイッチの詳細を示す図である。
【図４】各種モード切換スイッチとダイヤルスイッチとを操作した場合に切換設定されるモードを説明する図である。
【図５】測光モード切換スイッチおよびダイヤルスイッチが操作された場合にＣＰＵにより実行される測光モードおよび露出補正量切換制御手順を説明する図である。
【図６】変形実施例を説明する図である。
【符号の説明】
１      ＬＣＤ（液晶表示パネル）
２１      測光モード切換スイッチ
２２      画質モード切換スイッチ
２３      フォーカスモード切換スイッチ
２４      閃光撮影モード切換スイッチ
２５      ズームスイッチ
２６      レリーズスイッチ
２８      ダイヤルスイッチ
４２      撮影レンズ
４５      ズーム駆動部
４６      フォーカス駆動部
４７      ＣＣＤ
５０      ＣＰＵ
６０      ＡＳＩＣ
６２      表示部
【図１】
0004337160.tif 000002
【図２】
0004337160.tif 000003
【図３】
0004337160.tif 000004
【図４】
0004337160.tif 000005
【図５】
0004337160.tif 000006
【図６】
0004337160.tif 000007